(57)【要約】【課題】  簡単な構成で映像信号を精度よく切り替えることができるビデオバッファ回路を提供する。【解決手段】  表示装置に表示させる映像信号の選択切り替えを、ＩＩＣバス８からのコントロール信号の他に、新たに設けた制御線７から入力される入力切り替え信号によって行う。従って、表示装置に表示させる映像信号の切り替えを、ＩＩＣバス８と制御線７からの２種類の信号で行うことが可能となる。このため、ＩＩＣバス８からのコントロール信号により表示装置に表示させる映像信号を選択して表示を開始させ、制御線７からの入力切り替え信号により表示している映像信号の出力を終了して他の映像信号の表示を開始させるなど、表示装置に表示させる映像信号の切り替えを精度よく行うことが可能となる。【選択図】        図１
2005039634.tif 000002
【特許請求の範囲】
【請求項１】
映像信号の切り替えを指示する第１の映像切り替え信号を伝送するシリアルバスと、
映像信号の切り替えを指示する第２の映像切り替え信号を伝送する制御線と、
前記第１の映像切り替え信号と前記第２の映像切り替え信号のいずれか一方の信号の入力により表示装置に表示させる映像信号を切り替える切り替え手段と、
を有することを特徴とするビデオバッファ回路。
【請求項２】
前記シリアルバスから入力される前記第１の映像切り替え信号と、前記制御線から入力される前記第２の映像切り替え信号とを入力し、これらの映像切り替え信号の論理和演算を行い、演算結果を前記切り替え手段に出力する論理素子を有することを特徴とする請求項１記載のビデオバッファ回路。
【請求項３】
前記制御線は、映像信号の切り替え制御専用に設けられた専用線であることを特徴とする請求項１記載のビデオバッファ回路。
【発明の詳細な説明】
【技術分野】
【０００１】
本発明は、表示装置に表示させる映像信号を一時的に蓄積するビデオバッファ回路に関し、特にシリアルバスから入力されるコントロール信号に基づいて表示装置に表示させる映像信号の切り替えを行うビデオバッファ回路に関する。
【背景技術】
【０００２】
従来、オーディオ装置やコンピュータ装置等のシステム内で、１つのシリアルバスライン上に複数のデバイスを接続して制御する際、ＩＩＣ（Ｉｎｔｅｒ  Ｉｎｔｅｇｒａｔｅｄ  Ｃｉｒｃｕｉｔ）バスシステムがよく用いられている。このＩＩＣバスシステムは、シリアルクロックラインとシリアルデータラインの２つのラインからなる。
【０００３】
ＩＩＣバスのシリアルデータラインによって転送されるコントロール信号により複数のデバイスを制御する動作について説明する。図３には、表示装置の前段に設けられ、映像信号を一時的に蓄積して表示装置の表示タイミングに合わせて映像信号を出力するビデオバッファ回路１００の構成が示されている。
【０００４】
図３に示されるビデオバッファ回路１００には、ディジタルデータをアナログデータに変換する第１Ｄ／Ａ変換器３Ａ、第２Ｄ／Ａ変換器３Ｂと、これらのＤ／Ａ変換器３によるアナログ変換後の映像信号をそれぞれ入力し、出力する映像信号を選択する第１選択器４Ａ、第２選択器４Ｂ、第３選択器４Ｃと、各選択器４Ａ，４Ｂ，４Ｃに対応してそれぞれ設けられ、選択器４により選択された映像信号にフィルタ処理を施す第１フィルタ５Ａ、第２フィルタ５Ｂ、第３フィルタ５Ｃと、各フィルタにそれぞれ対応して設けられ、フィルタ処理後の映像信号を増幅する第１増幅器６Ａ、第２増幅器６Ｂ、第３増幅器６Ｃとが設けられている。また、第１増幅器６Ａの後段には、抵抗Ｒ１、コンデンサＣ１、抵抗Ｒ２が、第２増幅器６Ｂの後段には、抵抗Ｒ３、コンデンサＣ２、抵抗Ｒ４が、第３増幅器６Ｃの後段には、抵抗Ｒ５、コンデンサＣ３、抵抗Ｒ６がそれぞれ接続されている。
【０００５】
また、図３に示されるように表示装置に表示する映像信号の選択指示信号であるコントロール信号をシリアルデータラインから入力し、このコントロール信号の転送クロック信号をシリアルクロックラインから入力するＩＩＣコントローラ１が設けられている。シリアルデータラインとシリアルクロックラインとでＩＩＣバス８を構成している。ＩＩＣコントローラ１は、ビデオバッファ回路１００内の選択器４（第１選択器４Ａ、第２選択器４Ｂ、第３選択器４Ｃ）と、フィルタ５（第１フィルタ５Ａ、第２フィルタ５Ｂ、第３フィルタ５Ｃ）と、増幅器６（第１増幅器６Ａ、第２増幅器６Ｂ、第３増幅器６Ｃ）とにそれぞれ接続されている。ＩＩＣコントローラ１は、シリアルデータラインにより入力したコントロール信号により、選択器４、フィルタ５、増幅器６の出力を切り替える。
【０００６】
コントロール信号を転送するＩＩＣバス８は、１００ｋＨｚのシリアル伝送なので、コントロール信号の転送に非常に多くの時間を要してしまう。例えば、１コントロール信号の入力にＩＩＣバス８の転送クロック、２７クロック分を要するとした場合、転送クロックが１００ｋＨｚの時は１コントロール信号の入力に２７０μｓ程度、４００ｋＨｚの時は１コントロール信号の入力に６７．５μｓ程度、１ＭＨｚの時は１コントロール信号の入力に２７μｓ程度必要となる。
【０００７】
テレビジョン放送の標準方式であるＮＴＳＣ（Ｎａｔｉｏｎａｌ  Ｔｅｌｅｖｉｓｉｏｎ  Ｓｙｓｔｅｍ  Ｃｏｍｉｔｔｅｅ  ｓｙｓｔｅｍ）方式での一般的な１水平走査時間（１Ｈ）が６３．５μｓ程度なので、ある画像の中に他の画像を挿入する「ピクチャ・イン・ピクチャ」機能を実現しようとした場合、１水平走査時間内で映像信号の切り替えができないという問題がある。
【０００８】
例えば、図４（Ａ）に示す１水平走査時間６４μｓの８×８の基本画面中に、２×２の画面を挿入する場合を考える。８×８の基本画面の左上端部を座標原点としてＸ座標，Ｙ座標（５，５）の位置が２×２画面の左上端部となるように２×２画面を挿入する。このＸ座標、Ｙ座標（５，５）の位置から２×２画面用の映像信号に切り替えたとして、２×２画面の右上端部座標（７，５）で元の８×８基本画面の映像信号に切り替えるには、２×２画面用の映像信号に切り替えてから１６μｓで映像信号切り替え用の制御信号を再度入力する必要がある。
【０００９】
この切り替え時間１６μｓと、上述したＩＩＣのコントロール信号での信号切り替えに必要な時間とを比較する。まず、ＩＩＣバスの転送クロックの周波数が１００ｋＨｚ、４００ｋＨｚの場合には、１６μｓはおろか１水平走査時間６３．５μｓよりも長い時間かかってしまい、切り替えは不可能となってしまう。また、ＩＩＣバスの転送クロックの周波数が１ＭＨｚの場合でも信号切り替えに必要な時間が２７μｓであるため間に合わず、「ピクチャ・イン・ピクチャ」機能を実現することができない。転送クロックの周波数が１ＭＨｚのコントロール信号により映像の切り替え表示を行おうとすると、図４（Ｂ）に示されるように２×２画面の映像が他の表示領域にまでずれ込んで表示されることになる。
【００１０】
また、本発明と技術分野が類似する従来例として、以下に示す特許文献１に開示された発明がある。この発明は、複数のビデオカメラからの映像を選択入力するビデオデコーダにおいて、ビデオカメラからの映像を切り替えるチャンネル切り替えに関する発明である。
【００１１】
従来ビデオデコーダでは、複数のビデオカメラからの映像を切り替える際に、チャンネル切り替えの指示信号と、この切り替えるチャンネル（映像）に応じた特性パラメータ（明るさ、コントラスト、色相などを調整するためのパラメータ）を設定しなければならない。図５に示すＣＰＵ６００はチャネル切り替えタイミングになると、ＩＩＣバス７００を介してビデオデコーダ回路内のセレクタ２０１へチャネル切り替えを指示すると共に、微調整回路２０４へチャネルに応じた特性パラメータを設定する。この設定された特性パラメータに従って、微調整回路２０４が画像の調整を行うことで各チャネルに適した明るさ、コントラスト、色相の映像を表示することができる。
【００１２】
しかしながらＩＩＣバス７００は、１００ｋＨｚのシリアル伝送なので、特性パラメータの伝送に要する時間は、アナログ映像信号の１フィールド分よりも多くの時間がかかってしまい、動的にチャネルを切り替えることができない。
【００１３】
このため特許文献１に開示された発明では、ＣＰＵ６００は図６に示されるようにチャネル切り替え時に選択するチャンネルに応じた特性パラメータを、バス８００を介して微調整データ用レジスタ３０３に書き込む。スペースコンバータ３０１はビデオデコーダ２００の出力するＹＵＶ信号を、選択するチャンネルに応じた特性パラメータで調整しながらＲＧＢ信号に変換する。
【００１４】
すなわち、従来ビデオデコーダ回路２００の微調整回路２０４で行っていた画像調整を、ディスプレイコントローラ回路３００のスペースコンバータ３０１で行うことで、チャンネル切り替え時にＩＩＣバス７００を介して特性パラメータを伝送しないようにしている。この結果、チャンネル切り替え時にＩＩＣバス７００を介して伝送されるデータをチャンネル切り替え指示のみに削減している。
【００１５】
【特許文献１】特開２００１−２５１６４３号公報
【発明の開示】
【発明が解決しようとする課題】
【００１６】
上述したようにある映像画面中に他の映像の画面を挿入して表示させる「ピクチャ・イン・ピクチャ」の機能を高精度に実現するためには、１水平走査時間に対してコントロール信号の転送時間が十分に短い時間でなければならない。
【００１７】
また、上述したＩＩＣの転送クロックによって転送されたコントロール信号により映像信号の切り替えを行うためには、ビデオバッファを制御する制御装置が、映像信号の切り替えタイミングよりも前に切り替え指示の信号を出力しなければならず、制御装置による制御が複雑になるという問題を有している。
【００１８】
また、上述した特許文献１に開示された発明は、画像調整を行う処理部（処理位置）を変更することで、チャネル切り替え時にＩＩＣバス７００を介して伝送するデータ量を削減し、１フィールド分の映像信号の入力に要する時間内でＩＩＣバスによるチャンネル切り替えの指示信号の送信を実現している。
【００１９】
すなわち、この特許文献１に開示された発明は、１フィールド分の映像データの入力という比較的長い時間を対象としているためＩＩＣバスでのデータ量を削減することで、所望とする時間内でＩＩＣバスによるチャンネル切り替え指示信号の送信を実現することができた。しかしながら、上述した「ピクチャ・イン・ピクチャ」の機能を実現するためには、１水平走査時間よりも十分に短い時間内にコントロール信号を入力する必要がある。従って、上記特許文献１に開示された発明のようにＩＩＣバスで送信するデータ量を削減してもＩＩＣバスの転送クロックだけを使用しているかぎりは同じ課題がある。
【００２０】
本発明は上記事情に鑑みてなされたものであり、簡単な構成で映像信号の切り替えを効率的に精度よく行うことができるビデオバッファ回路を提供することを目的とする。
【課題を解決するための手段】
【００２１】
かかる目的を達成するために請求項１記載のビデオバッファ回路は、映像信号の切り替えを指示する第１の映像切り替え信号を伝送するシリアルバスと、映像信号の切り替えを指示する第２の映像切り替え信号を伝送する制御線と、前記第１の映像切り替え信号と前記第２の映像切り替え信号のいずれか一方の信号の入力により表示装置に表示させる映像信号を切り替える切り替え手段と、を有することを特徴としている。
【００２２】
請求項１記載のビデオバッファ回路は、第１の映像切り替え信号と第２の映像切り替え信号のいずれか一方の信号の入力により表示装置に表示させる映像信号を切り替える。従って、表示装置に表示させる映像信号の切り替えを、シリアルバスからの第１の映像切り替え信号と、制御線からの第２の映像切り替え信号とによる２種類のタイミングで行うことが可能となる。このため、シリアルバスからの第１の映像切り替え信号により表示装置に表示させる映像信号を選択して表示を開始させ、制御線からの第２の映像切り替え信号により表示している映像信号の出力を終了させ、他の映像信号に切り替えることにより、表示装置に表示する映像の切り替えを効率的に精度よく行うことができる。従って、ＩＩＣバスのような転送速度の比較的遅いバスによって映像信号の切り替えを指示する場合であっても、制御線から入力される第２の映像切り替え信号と組み合わせることで、表示する映像の切り替えを精度よく行うことができる。
【００２３】
請求項２記載のビデオバッファ回路は、請求項１記載のビデオバッファ回路において、前記シリアルバスから入力される前記第１の映像切り替え信号と、前記制御線から入力される前記第２の映像切り替え信号とを入力し、これらの映像切り替え信号の論理和演算を行い、演算結果を前記切り替え手段に出力する論理素子を有することを特徴としている。
【００２４】
請求項２記載のビデオバッファ回路は、第１の映像切り替え信号と、第２の映像切り替え信号との論理和演算を行い、演算結果を切り替え手段に出力することで、第１の映像切り替え信号と第２の映像切り替え信号のいずれか一方の信号が入力された際に、切り替え手段に映像信号の切り替えを指示する信号を出力することができる。
【００２５】
請求項３記載のビデオバッファ回路は、請求項１記載のビデオバッファ回路において、前記制御線が、映像信号の切り替え制御専用に設けられた専用線であることを特徴としている。
【００２６】
請求項３記載の発明は、制御線が映像信号の切り替え専用の専用線であることにより、より高速に映像信号の切り替えを実現することができる。例えば、ある映像の中に他の映像を表示するピクチャ・イン・ピクチャの機能を実現するには、１画面の水平走査時間よりも十分に短い時間で映像の切り替えを行わなければならないが、制御線により切り替え信号を入力することで映像信号の切り替えを高速に行うことができる。
【発明の効果】
【００２７】
本発明によれば、簡単な構成で映像信号の切り替えを効率的に精度よく行うことができるビデオバッファ回路を提供することができる。
【発明を実施するための最良の形態】
【００２８】
次に、添付図面を参照しながら本発明を実施するための形態を説明する。
【実施例１】
【００２９】
まず、図１を参照しながら本実施例の構成を説明する。図１には本実施例のビデオバッファ回路１０の構成が示されている。なお、図３に示す従来のビデオバッファ回路１００と同一の回路については、同一の符号を付して説明する。
【００３０】
図１に示されるように、このビデオバッファ回路１０には２組の映像信号が入力される。１組の映像信号をＡ１，Ａ２，Ａ３とし、もう１組の映像信号をＢ１，Ｂ２，Ｂ３とする。Ａ１，Ａ２，Ａ３は例えば、Ｒ（レッド），Ｇ（グリーン），Ｂ（ブルー）信号のように３つの信号で１つの映像を表現し、Ｂ１，Ｂ２，Ｂ３もこの３つの信号で１つの映像を表現する。
【００３１】
また、図１に示されるようにビデオバッファ回路１０には、ＩＩＣコントローラ１と、Ｄ／Ａ変換器３と、選択器４と、フィルタ５と、増幅器６と、を主要な構成として有している。
【００３２】
Ｄ／Ａ変換器３は、第１Ｄ／Ａ変換器３Ａと、第２Ｄ／Ａ変換器３Ｂとからなる。ビデオバッファ回路１０に入力される映像信号の１組（Ａ１，Ａ２，Ａ３）は、第１Ｄ／Ａ変換器３Ａに入力され、ディジタル信号からアナログ信号に変換される。また、もう一方の映像信号の１組（Ｂ１，Ｂ２，Ｂ３）は、第２Ｄ／Ａ変換器３Ｂに入力され、ディジタル信号からアナログ信号に変換される。アナログ信号に変換されたＡ１信号は第１選択器４Ａに、Ａ２信号は第２選択器４Ｂに、Ａ３信号は第３選択器４Ｃにそれぞれ出力される。同様にアナログ信号に変換されたＢ１信号は第１選択器４Ａに、Ｂ２信号は第２選択器４Ｂに、Ｂ３信号は第３選択器４Ｃにそれぞれ出力される。
【００３３】
選択器４は、図１に示されるように第１選択器４Ａと、第２選択器４Ｂと、第３選択器４Ｃとからなる。第１選択器４Ａには、第１Ｄ／Ａ変換器３ＡからのＡ１信号と、第２Ｄ／Ａ変換器３ＢからのＢ１信号とが入力される。第２選択器４Ｂには、第１Ｄ／Ａ変換器３ＡからのＡ２信号と、第２Ｄ／Ａ変換器３ＢからのＢ２信号とが入力される。同様にして、第３選択器４Ｃには、第１Ｄ／Ａ変換器３ＡからのＡ３信号と、第２Ｄ／Ａ変換器３ＢからのＢ３信号とが入力される。
【００３４】
第１選択器４Ａ、第２選択器４Ｂ、第３選択器４Ｃは、それぞれ図１に示すＯＲ回路２の出力を入力しており、このＯＲ回路２からの出力信号に従って、選択出力する信号をＡ信号（Ａ１，Ａ２，Ａ３）とＢ信号（Ｂ１，Ｂ２，Ｂ３）とで切り替える。
【００３５】
フィルタ５は、第１フィルタ５Ａ、第２フィルタ５Ｂ、第３フィルタ５Ｃからなる。第１フィルタ５Ａは、第１選択器４Ａで選択されたＡ１またはＢ１の映像信号を入力して、この映像信号にフィルタ処理を施す。第２フィルタ５Ｂは、第２選択器４Ｂで選択されたＡ２またはＢ２の映像信号を入力して、この映像信号にフィルタ処理を施す。第３フィルタ５Ｃは、第３選択器４Ｃで選択されたＡ３またはＢ３の映像信号を入力して、この映像信号にフィルタ処理を施す。また、第１フィルタ５Ａ，第２フィルタ５Ｂ，第３フィルタ５ＣはそれぞれＩＩＣコントローラ１にも接続している。
【００３６】
増幅器６は、第１増幅器６Ａと第２増幅器６Ｂと第３増幅器６Ｃとからなる。第１増幅器６Ａは、第１フィルタ５Ａによるフィルタ処理後の映像信号を増幅し、出力端１に出力する。第２増幅器６Ｂは、第２フィルタ５Ｂによるフィルタ処理後の映像信号を増幅し、出力端２に出力する。第３増幅器６Ｃは、第３フィルタ５Ｃによるフィルタ処理後の映像信号を増幅し、出力端３に出力する。
【００３７】
各出力端には、増幅器６からの出力によるリンギングや発振を抑える抵抗（出力端１にＲ１，出力端２にＲ３，出力端３にＲ５がそれぞれ設けられている）と、容量性負荷（出力端１にＣ１，出力端２にＣ２，出力端３にＣ３がそれぞれ設けられている）と、終端抵抗（出力端１にＲ２，出力端２にＲ４，出力端３にＲ６がそれぞれ設けられている）とがそれぞれ設けられている。
【００３８】
また、図１に示されるように表示装置に表示する映像信号の選択指示信号であるコントロール信号をシリアルデータラインから入力し、このコントロール信号の転送クロック信号をシリアルクロックラインから入力するＩＩＣコントローラ１が設けられている。また、ＩＩＣコントローラ１は、図１に示されるようにＯＲ回路２と、フィルタ５（第１フィルタ５Ａ、第２フィルタ５Ｂ、第３フィルタ５Ｃ）と、増幅器６（第１増幅器６Ａ、第２増幅器６Ｂ、第３増幅器６Ｃ）とにそれぞれ接続されている。ＩＩＣコントローラ１は、シリアルデータラインによりコントロール信号を入力すると、選択器（第１選択器４Ａ，第２選択器４Ｂ，第３選択器４Ｃ）の選択出力を切り替える信号を出力する。また、ＩＩＣコントローラ１は、コントロール信号に基づいて、フィルタ５、増幅器６の出力を切り替える。
【００３９】
ＯＲ回路２には、ＩＩＣコントローラ１の出力と、高速の入力切り替えを実現するための制御線７からの入力切り替え信号とが入力される。ＯＲ回路２は、上位装置から入力切り替え信号が入力されると、ＩＩＣコントローラ１の出力に関わらず、強制的に選択器４（第１選択器４Ａ、第２選択器４Ｂ、第３選択器４）の選択を切り替える信号を出力する。
【００４０】
本実施例は、表示装置に表示させる映像信号の選択切り替えを、ＩＩＣバス８からのコントロール信号の他に、制御線７によって入力される入力切り替え信号によって行うことを特徴としている。表示装置に表示させる映像信号の切り替えを、ＩＩＣバス８と制御線７からの２種類の信号で行うことが可能となる。このため、ＩＩＣバス８からのコントロール信号により表示装置に表示させる映像信号を選択して表示を開始させ、制御線７からの入力切り替え信号により表示している映像信号の出力を終了して他の映像信号の表示を開始させるなど、表示装置に表示する映像信号の切り替えを精度よく行うことが可能となる。従って、ＩＩＣバス８のような転送速度の比較的遅いシリアルバスによって映像信号の切り替えを指示する場合であっても、制御線７により入力される入力切り替え信号と組み合わせることで表示装置への映像信号の切り替えを精度よく行うことができる。
【００４１】
また、制御線７を映像信号の切り替え専用としたことにより、より高速に映像信号の切り替えを実現することができる。例えば、上述したようにある映像の中に他の映像を表示する「ピクチャ・イン・ピクチャ」の機能を実現するには、１画面の水平走査時間よりも十分に短い時間で映像の切り替えを行わなければならないが、制御線７により入力切り替え信号を入力することで映像信号の切り替えをより高速に行うことができる。
【００４２】
制御線７より入力切り替え信号が入力されると、ＯＲ回路２から選択器４（第１選択器４Ａ、第２選択器４Ｂ、第３選択器４Ｃ）の選択出力を切り替える信号が出力される。選択器４（第１選択器４Ａ、第２選択器４Ｂ、第３選択器４Ｃ）はＯＲ回路２の出力が変わると、選択出力する映像信号を切り替える。
【００４３】
図２を参照しながら第１選択器４Ａの動作について説明する。第１選択器４Ａには、第１Ｄ／Ａ変換器３ＡからのＡ１信号と、第２Ｄ／Ａ変換器３ＢからのＢ１信号とが入力される。図２に示されるように専用コントロール線７から入力切り替え信号が入力されると、この信号がＯＲ回路２を介して第１Ｄ／Ａ選択器４Ａに出力される。第１選択器４Ａは入力切り替え信号が入力されたことにより、図２に示されるように出力をＡ１からＢ１に切り替える。なお、第２選択器４Ｂ、第３選択器４Ｃの動作については上記第１の選択器４Ａの同様であるため省略する。
【００４４】
従って、ある画像の中に他の画像を挿入する「ピクチャ・イン・ピクチャ」機能を実行しようとした場合に、１画面の水平走査時間よりも十分に短い時間で映像の切り替えを行わなければならないが、制御線７により切り替え信号を入力することで映像信号の切り替えを高速に行うことができる。
【００４５】
なお、上述した実施例は本発明の好適な実施例である。但し、これに限定されるものではなく、本発明の要旨を逸脱しない範囲内において種々変形実施可能である。
【図面の簡単な説明】
【００４６】
【図１】本発明の実施例の構成を示すブロック構成図である。
【図２】入力した映像信号の波形と、出力する映像信号の波形とを示す図である。
【図３】従来のビデオバッファ回路の構成を示すブロック構成図である。
【図４】Ａは、８×８画面中の所望の位置に２×２画面を挿入した画面を示す図であり、Ｂは、ＩＩＣバスの転送クロックを１ＭＨｚとして、この転送クロックに同期して映像信号の切り替え指示信号を入力した時に画面に表示される表示を示す図である。
【図５】従来の発明としての特許文献１に開示された発明の構成を示す図である。
【図６】従来の発明としての特許文献１に開示された発明の構成を示す図である。
【符号の説明】
【００４７】
１  ＩＩＣコントローラ            ２  ＯＲ回路
３Ａ  第１Ｄ／Ａ変換器            ３Ｂ  第２Ｄ／Ａ変換器
４Ａ  第１選択器                  ４Ｂ  第２選択器
４Ｃ  第３選択器                  ５Ａ  第１フィルタ
５Ｂ  第２フィルタ                ５Ｃ  第３フィルタ
６Ａ  第１増幅器                  ６Ｂ  第２増幅器
６Ｃ  第３増幅器                   ７  専用コントロール線
８  ＩＩＣバス                    １０  ビデオバッファ回路
【図１】
2005039634.tif 000003
【図２】
2005039634.tif 000004
【図３】
2005039634.tif 000005
【図４】
2005039634.tif 000006
【図５】
2005039634.tif 000007
【図６】
2005039634.tif 000008